(57)【特許請求の範囲】
【請求項１】
内蔵制御プログラム並びにデータによって動作条件を変更可能な加入者回路と、問合せ機能並びに電話番号の仮設定指示機能および前記制御プログラムないしデータを変更するためのダウンロード機能を有する保守運用装置と、回答機能並びに電話番号の仮設定実行機能を有するノード装置とからなる電話交換システムにおけるプログラムダウンロード方法であって、
前記保守運用装置は、ダウンロード指示端末からの収容位置に基づくダウンロード指示に応動して前記問合せ機能を介して前記回答機能に問合せを行い、前記収容位置に電話番号が付与されていない場合には当該収容位置に仮の電話番号を付与した後、該仮の電話番号を用いて前記ダウンロード機能に対しダウンロードの実行を指示することを特徴とするプログラムダウンロード方法。
【請求項２】
前記回答機能は問合せのあった収容位置に電話番号が付与されているか否かを、加入者データの収容位置欄に収容位置データが存在するか否かによって判定することを特徴とする請求項１に記載のプログラムダウンロード方法。
【請求項３】
ダウンロード完了後、前記仮の番号付与を解除することを特徴とする請求項１または２に記載のプログラムダウンロード方法。
【発明の詳細な説明】
【０００１】
【発明の属する技術分野】
本発明はプログラムダウンロード方法に関し、より具体的には、電話交換機における加入者回路など、多数のプログラム可能な装置を有するシステムにおいて、保守運用装置からプログラムを自動的にダウンロード可能とする方法に関するものである。
【０００２】
【従来の技術】
図５は、従来のプログラムダウンロード方法を説明するためのシステム構成図であって、１はノード装置、２はノード装置１に内在する通話路、３は同ノード制御部、４は同加入者回路であって、添字は複数存在する加入者回路の識別子である。なお、添字の用法は特に言及がない限り以下同様とする。
また、５は加入者回路４に内在する記憶部、６は保守運用装置、７は保守運用装置６に内在するダウンロード部、８は同被ダウンロードプログラム、９は同入出力部、１０は同保守運用制御部、１１はダウンロード指示端末、２０は通信網を示している。
【０００３】
ノード装置１は、通信路を形成するための通話路２と、図示されていない利用者と通話路２とを接続するための加入者回路４と、両者を制御して、一方の利用者すなわち加入者回路を、他の加入者回路すなわち利用者または通信網２０に接続するためのノード制御部３を有している。上述の加入者回路４は、ＢＯＲＳＣＨＴと呼称される利用者とのインタフェース機能を有しており、この機能を技術の進展に容易に対応可能とするよう、プログラム制御方法を用いている。換言すると、加入者回路４は、内蔵する制御プログラムによってその動作が規定されている。そのため、インタフェース機能を更新するには、内蔵する制御プログラムの更新が必要となる。
【０００４】
上述の加入者回路４が内蔵する制御プログラムは記憶部５に記憶されており、その更新は保守運用装置６から行われる。具体的には、ダウンロード指示端末１１から、ダウンロードの対象とする加入者回路（例えば４−１）に対応する電話番号すなわち加入者回路４−１が供されている利用者の電話番号を、入出力部９に指示する。保守運用制御部１０は、通常の電話接続と同様の方法により、ダウンロード部７を、通信網２０を介して指示された電話番号に対応する加入者回路（例えば上記４−１）に接続する。
【０００５】
次に、保守運用制御部１０は、ダウンロード部７に対しダウンロードの実行を指示し、ダウンロード部７はこの指示に応動して、内在する被ダウンロードプログラム８を加入者回路（この例では４−１）内の記憶部５−１に、自動的にダウンロードする。
以上が、従来のプログラムダウンロード方法の動作概要である。
【０００６】
【発明が解決しようとする課題】
上述のように構成され動作する従来のプログラムダウンロード方法は、その動作から明らかなように、加入者回路に電話番号が設定されていない場合にはダウンロードのための接続ができず、従ってダウンロードそのものも実行できないという問題点があった。
【０００７】
本発明の目的は、従来の技術における上述のような問題を解消し、電話番号が設定されていない加入者回線に対しても、プログラムのダウンロードを可能とするプログラムダウンロード方法を提供することにある。
【０００８】
【課題を解決するための手段】
上記目的を達成するため、本発明に係るプログラムダウンロード方法は、内蔵制御プログラム並びにデータによって動作条件を変更可能な加入者回路と、問合せ機能並びに電話番号の仮設定指示機能および前記制御プログラムないしデータを変更するためのダウンロード機能を有する保守運用装置と、回答機能並びに電話番号の仮設定実行機能を有するノード装置とからなる電話交換システムにおいて、前記保守運用装置は、ダウンロード指示端末からの収容位置に基づくダウンロード指示に応動して前記問合せ機能を介して前記回答機能に問合せを行い、前記収容位置に電話番号が付与されていない場合には当該収容位置に仮の電話番号を付与した後、該仮の電話番号を用いて前記ダウンロード機能に対しダウンロードの実行を指示することを特徴とするものである。
【０００９】
ここで、前記回答機能は問合せのあった収容位置に電話番号が付与されているか否かを、加入者データの収容位置欄に収容位置データが存在するか否かによって判定することを特徴とするものである。
また、ダウンロード完了後、前記仮の番号付与を解除することを特徴とするものである。
【００１０】
より具体的には、本発明においては、ノード装置と保守運用装置との間に制御通信路を設け、ダウンロード指示端末から機器構成上の識別番号である収容位置を入力し、保守運用装置は前記制御通信路を介してノード装置に当該収容位置に実装されている加入者回路に電話番号が付与されているか否かを問合せ、この問合せ結果が電話番号付与無しの場合には、保守運用装置は当該加入者回路に仮の電話番号を付与するようノード装置に指示し、その後、保守運用装置は従来の方法と同様の方法で目的とする加入者回路に接続した後、プログラムをダウンロードし、ダウンロード終了後に保守運用装置はノード装置に対して仮付与した電話番号を消去すなわち解除するよう指示し、これによって電話番号が付与されていない加入者回路に対してプログラムの自動ダウンロードを行うことを可能としたことを特徴とするものである。
【００１１】
本発明によれば、電話番号が付与されていない加入者回線に対しても、電話番号が付与されている場合と同様の手法を用いて、保守運用装置から加入者回路にプログラムのダウンロードを行うことが可能になる。
【００１２】
【発明の実施の形態】
以下、本発明の実施の形態を、図面に示す好適実施例に基づいて、詳細に説明する。
【００１３】
図１は、本発明の一実施例を説明するためのシステム構成図であって、１０１はノード装置、１０２はノード装置１に内在する通話路、１０３は同ノード制御部、１０４は同加入者回路、１０５は加入者回路１０４に内在する記憶部を示している。また、１０６は保守運用装置、１０７は保守運用装置１０６に内在するダウンロード部、１０８はダウンロード部１０７に内在する被ダウンロードプログラム、１０９は保守運用装置１０６に内在する入出力部、１１０は同保守運用制御部を示している。
【００１４】
また、１１１はダウンロード指示端末、１２０は通信網、１２１は制御通信路、１３１は保守運用制御部１１０に内在する問合せ部、１３２はノード制御部１０３に内在する回答部、１４１は保守運用制御部１１０に内在する仮設定支持部、１４２はノード制御部に内在する仮設定実行部を示している。
図２は、本実施例の動作を説明するための、保守運用制御部１１０とノード制御部１０３との間の信号の授受を示す図である。
【００１５】
上述のように、ノード装置１０１は、通信路を形成するための通話路１０２と、図示されていない利用者と通話路１０２とを接続するための加入者回路１０４と、両者を制御して、一方の利用者すなわち加入者回路を他の加入者回路、すなわち利用者または通信網１２０に接続するためのノード制御部１０３とを有している。
【００１６】
保守運用装置１０６は、ダウンロード部１０７から電話番号を用いて公知の方法、例えば電話網における通信手順と同様の方法により、目的とするダウンロード対象加入者回路（例えば１０４−１）に接続し、この接続経路を介して被ダウンロードプログラム１０８を加入者回路の記憶部（この例では１５０−１）に転送する機能を有する。この転送された被ダウンロードプログラム１０８は、加入者回路１０４−１の記憶部１０５−１に記憶される。ここで、もしも、加入者回路の記憶部に古いプログラムが存在する場合には、ダウンロードされたプログラムによって更新される。
【００１７】
次に、図２に基づいて動作を説明する。上記接続に用いる電話番号並びにダウンロードの実行は、保守運用制御部１１０から指示される。保守者からのダウンロード指示は、ダウンロード指示端末１１１から行われ、その指示すなわちダウンロードの対象である加入者回路の指定は、収容位置に基づいて行われる。入出力部１０９は、ダウンロード指示端末１１１からの指示すなわち収容位置を保守運用制御部１１０に伝達し、保守運用制御部１１０は問合せ部１３１から制御通信路１２１を介してノード装置１０１の回答部１３２に収容位置を伝達する（２０１）。
【００１８】
回答部１３２は、当該収容位置に対応する加入者回路に電話番号が付与されている場合は電話番号を、電話番号が付与されていない場合は電話番号無しを、問合せと逆の経路により問合せ部１３１に回答する（２０２）。ここで、電話番号が回答された場合は、保守運用制御部１１０はダウンロード部１０７に該電話番号を通知するとともにダウンロードの実行を指示する（２０７）。
【００１９】
一方、回答部１３２から電話番号無しが回答された場合（２０２）は、保守運用制御部１１０は仮設定指示部１４１から、制御通信路１２１を介して仮設定実行部１４２に対し、仮の電話番号付与指示を実行し（２０３）、仮設定実行部１４２は当該電話番号に当該収容位置の加入者回路を設定すなわち割当てる。なお、仮の電話番号は予め決定しておき、該番号情報をノード装置１０１に保有している形態の他、保守運用制御部１１０から指定することも可能である。
【００２０】
仮設定実行部１４２は仮の電話番号の設定を完了すると、該設定完了を仮設定指示部１４１に通知し（２０４）、この通知を受けると、保守運用制御部１１０はダウンロード部１０７に仮の電話番号を通知するとともにダウンロードの実行を指示する（２０７）。
【００２１】
ダウンロードの実行を終了すると、保守運用制御部１１０は仮設定指示部１４１から仮の電話番号の設定を解除するよう解除指示を仮設定実行部１４２に指示し（２０５）、仮設定実行部１４２はこの指示に応動して、仮設定した電話番号に関する設定を解除すなわち仮設定を実行する前の状態に復元し、解除完了を仮設定指示部１４１に返送する（２０６）。これらのダウンロード動作は、順次自動的に行われる。
【００２２】
以上説明したように、本実施例によれば、保守運用装置１０６は、ダウンロード端末１１１から収容位置に基づいてダウンロード対象加入者回路を指定する形式によっても、ダウンロードの実行が可能となる。
【００２３】
上述の、ダウンロードを実行するには、指定した収容位置に加入者回路が実装されている必要がある。回答部１３２は回答の中に実装有無の情報、例えば指定された収容位置に加入者回路が実装されていない場合は、完了の通知に代えてエラーを返送し、保守運用制御部１１０はダウンロード指示端末１１１に対し、エラー表示を行うことも可能である。
【００２４】
保守運用装置１０６は、公知の方法によりダウンロードの処理過程を記録、いわゆるログに残すことができる他、ダウンロード指示端末１１１に表示することも可能である。通信網１２０はＩＳＤＮ回線等の公衆網を利用できる他、制御通信網１２１も同様に任意の伝達手段を用いることができる。
【００２５】
図３は、上記実施例における回答部の詳細を示す図である。図中、１５１は回答部１３２に内在する実装データ検索部、１５２は回答部１３２に内在する加入者データ検索部、１５３は実装データ、１５４は加入者データである。
また、図４は、実装データ１５３並びに加入者データ１５４の記憶例を示す図である。
【００２６】
次に動作を説明する。問合せ部１３１から制御通信網１２１を介して収容位置が回答部１３２に通知されると、回答部１３２は内在する実装データ検索部１５１によって実装データ１５３が検索され、当該収容位置に加入者回路が実装されているか否かが判定される。図４では、実装データ１５３の実装状況欄が実装の有無を記憶しており、ここでは、“１”は実装有り、“０”は実装無しを表わしている。
【００２７】
実装データ検索部１５１によって加入者回路が実装されていると判定されると、次にその収容位置に電話番号が設定されているか否か、加入者データ１５４が検索される。加入者データ１５４は、電話番号からの検索の利便性から、通常、電話番号順に記憶されており、収容位置に電話番号が設定されているか否かは、加入者データ１５４の収容位置欄に当該収容位置データが存在するか否かによって判定される。
【００２８】
すなわち、探索の結果、当該収容位置が存在しない場合は電話番号が設定されていないと判定される。これにより、加入者データの記憶が電話番号順という利便性を保ったまま、収容位置の電話番号設定有無を判定することができる。
【００２９】
上記判定結果、すなわち電話番号無しという結果は、保守運用装置１０６に通知され、保守運用装置１０６からは仮の電話番号付与指示が送出される。ノード制御部１０３は仮の電話番号付与指示を受信すると、仮設定実行部１４２により加入者データ１５４内の仮の電話番号位置の収容位置欄に指定された収容位置を表わす情報を記憶させる。また、加入者データ１５４には必要に応じて仮付与表示欄を設け、消去時に仮付与データであることの確認用として用いることも可能であり、ここに仮付与であることを記憶例えば“１”を記憶させてもよい。
【００３０】
次に、実装データ１５３並びに加入者データ１５４の具体的記憶例について説明する。
加入者回路が実装されていて、かつ電話番号も設定されている例は、収容位置００００−００−０が相当する。すなわち実装データ１５３の収容位置００００−００−０に対応する実装状況欄には、加入者回路が実装されていることを示す“１”が記憶されており、また、加入者データ１５４の電話番号１２３−０００１に対応する収容位置欄には、前記収容位置を表わす情報００００−００−０が記憶されている。
【００３１】
一方、加入者回路は実装されているが、電話番号が設定されていない例は収容位置００００−００−５が相当する。すなわち実装データ１５３の収容位置００００−００−５に対応する実装状況欄には“１”が記憶されているが、加入者データ１５４の収容位置欄には当該収容位置を表わす情報００００−００−５が存在しない。
また、設定されている電話番号が仮の電話番号である例は、電話番号１２３−９９９７が相当し、加入者データ１５４のこれに対応する仮付与表示欄には、電話番号が仮付与であることを表わす“１”が記憶されている。
【００３２】
上記実施例の説明においては、ダウンロードの対象は加入者回路の動作を司る加入者回路の内蔵プログラムを想定したものとなっているが、ダウンロードの対象は制御プログラムに限らず、状態や動作モード設定用のデータであってもよく、また、動作を制御する指令等であってもよい。
【００３３】
すなわち、上記実施例は本発明の一例を示すものであり、本発明はこれに限定されるべきものではなく、本発明の要旨を変更しない範囲で、種々の変更や改良を行ってもよいことはいうまでもないことである。
なお、前記各構成要素は、ハードウェアとして実現されてもよく、また、ソフトウェアにより実現されてもよい。
【００３４】
【発明の効果】
以上、詳細に説明したように、本発明によれば、ダウンロード指示端末から収容位置によってダウンロード対象加入者回路の指定ができる。換言すると、電話番号が設定されていない加入者回路に対しても、プログラムの自動ダウンロードが行えるという効果が得られる。
【００３５】
より具体的には、加入者回路が実装されていない収容位置が指定された場合は、エラー処理が行われるため、保守者はダウンロードに際して、加入者回路が実装されているか否か、電話番号が設定されているか否かを意識することなく、作業が行えるという効果が得られる。
【図面の簡単な説明】
【図１】本発明の一実施例を説明するためのシステム構成図である。
【図２】実施例の動作を説明するための、保守運用制御部とノード制御部との間の信号の授受を示す図である。
【図３】実施例の回答部の詳細な構成例を示す図である。
【図４】実装データ並びに加入者データの記憶例を示す図である。
【図５】従来のプログラムダウンロード方法を説明するための図である。
【符号の説明】
１０１  ノード装置
１０２  通話路
１０３  ノード制御部
１０４  加入者回路
１０５  記憶部
１０６  保守運用装置
１０７  ダウンロード部
１０８  被ダウンロードプログラム
１０９  入出力部
１１０  保守運用制御部
１１１  ダウンロード指示端末
１２０  通信網
１２１  制御通信路
１３１  問合せ部
１３２  回答部
１４１  仮設定指示部
１４２  仮設定実行部
１５１  実装データ検索部
１５２  加入者データ検索部
１５３  実装データ
１５４  加入者データ
【図１】
0003783570.tif 000002
【図２】
0003783570.tif 000003
【図３】
0003783570.tif 000004
【図４】
0003783570.tif 000005
【図５】
0003783570.tif 000006